(57)【特許請求の範囲】
【請求項１】
複数のドラフトシリンダ（５２２ａ，５２２ｂ，５２２ｃ）を有するドラフト機構（２０）を備えた紡績機であって、前記ドラフトシリンダ（５２２ａ，５２２ｂ，５２２ｃ）が複数の駆動ブロック（５４０ａ，５４０ｂ，５４０ｃ）を介して駆動可能であり、少なくとも１つの駆動ブロック（５４０ａ）に、紡績機の全長に亘ってではなく、紡績機のドラフト区分に亘ってしか延在しない、ドラフトシリンダ（５２２ａ，５２２ｂ，５２２ｃ）から成るそれぞれ１つのドラフト機構ストランドが配属されており、前記駆動ブロックが１つの駆動モータ（４２ａ）又は複数の駆動モータ（４２ａ，４２ａａ）を有し、該駆動モータ（４２ａ，４２ａａ）が単数又は複数の伝動装置（４２ｂ，４２ｂ″）を介して前記ドラフトシリンダ（５２２ａ，５２２ｃ）と結合されており、前記駆動モータ（４２ａ，４２ａａ，４２ａ′，４２ａａ′）がそれぞれ１つのコンタクタ（３４２ａ）を介して給電装置に接続されており、各コンタクタ（３４２ａ）が１つの制御信号導線（３１９）に接続されており、複数の前記制御信号導線（３１９）が１つの制御装置（３０）の１つの制御信号発信ユニット（３１７）に接続されており、１つの前記駆動ブロック（５４０ａ）の唯一の駆動モータ（４２ａ）だけがもしくは前記駆動モータのグループ（４２ａ，４２ａａ）が選択的にスイッチオン可能で、前記駆動ブロック（５４０ａ）を有する個々のドラフト機構セグメント（２１）だけが又は前記駆動ブロック（５４０ａ，５４０ｂ）を有する複数のドラフト機構セグメント（２１，２１′）が又は前記駆動ブロック（５４０ａ，５４０ｂ，５４０ｃ，５４０ａ′，５４０ｂ′，５４０ｃ′）を有するすべてのドラフト機構セグメント（２１，２１′）が一緒にスイッチオン可能であるように、前記制御装置（３０）と前記制御信号発信ユニット（３１７）とが構成されていることを特徴とする、紡績機。
【請求項２】
前記制御装置（３０）が複数の制御出力端子を有し、該制御出力端子に複数の制御信号導線（３１９）が配属されており、各個々の制御信号導線（３１９）が１つの駆動ブロック（５４０ａ）の１つのモータ（４２ａ）の少なくとも１つのコンタクタ（３４２ａ）又は複数のモータ（４２ａ，４２ａａ）の複数のコンタクタ（３４２ａ，３４２ａａ）と接続されている、請求項１記載の紡績機。
【請求項３】
前記制御装置（３０）が少なくとも１つのインプットユニット（３１１）、１つのドラフト機構セグメントセレクトユニット（３１３）、制御データのための１つのメモリー（３１２）並びに１つの制御信号アウトプットユニット（３１７）が接続された１つの計算ユニット（３１６）に分けられており、前記制御信号アウトプットユニット（３１７）から制御信号導線（３１９）が１つの駆動ブロックのモータ（４２ａ，４２ａａ）の複数のコンタクタ（３４２ａ，３４２ａａ）に通じており、紡績機の各駆動ブロック（５４０ａ，５４０ｂ，５４０ｃ，５４０ａ′，５４０ｂ′，５４０ｃ′）に少なくとも１つの制御信号導線（３１９）が通じ、駆動ブロック（５４０ａ，５４０ｂ，５４０ｃ）、ひいては紡績機の個々のドラフト機構セグメント（２１，２１′）がスイッチオン可能であるか又は紡績機のドラフト機構セグメント（２１，２１′）のグループ又はすべてのドラフト機構セグメント（２１，２１′）が同時にスイッチオン可能である、請求項１又は２記載の紡績機。
【請求項４】
紡績機の１つのドラフト機構セグメント（２１）の内部のドラフト機構（２０）のドラフトシリンダ（５２２ａ，５２２ｃ）が機械のドラフト長さに亘って、複数のドラフト機構セグメント（２１，２１′）のドラフトの長さが合わせられて紡績機の全長に相応するように延びており、ドラフトシリンダ（５２２ａ，５２２ａ′，５２２ｃ，５２２ｃ′）が紡績機の長手方向に整合させられて配置されているが互いに連結されておらず、ドラフトシリンダ（５２２ａ，５２２ｃ）のグループが一緒にではあるが紡績機の他の１つのドラフト機構セグメント（２１′）の他のドラフトシリンダ（５２２ａ′，５２２ｃ′）とは無関係にスイッチオン・オフ可能である、請求項１から３までのいずれか１項記載の紡績機。
【請求項５】
紡績機の長手方向に配置された複数の紡糸部位又はスピンドル（１１）を有し、ドラフトシリンダ（５２２ａ，５２２ｂ，５２２ｃ）を介して繊維材料が供給されるスピンドルを駆動するために、スピンドルと同軸に配置される単個モータが設けられるか又は紡績機の中央に支承された軸（１１ａ）が設けられ、該軸（１１ａ）の上にベルトプリー（１１ｂ）が配置され、該ベルトプリー（１１ｂ）がベルト（１１ｃ）でスピンドル（１１）と結合されているか又は少なくとも紡績機のドラフト長さに亘って導かれた接線方向ベルト（１１ｄ）が設けられ、その際、スピンドル（１１）が直接的に接線方向ベルト（１１ｄ）によって駆動可能である、請求項１から４までのいずれか１項記載の紡績機。
【請求項６】
１つのドラフトシリンダ（５２２ａ）もしくは複数のドラフトシリンダ（５２２ａ，５２２ｂ，５２２ｃ）にこれらの運転状態を監視するためにそれぞれ１つの監視センサ（５２２ａａ）が配属されており、該監視センサ（５２２ａａ）が監視ユニット（３１５）と接続され、該監視ユニット（３１５）自体は制御装置（３０）の計算機ユニット（３１６）と接続されており、その際、計算機ユニット（３１６）と、監視ユニット（３１５）及び紡績機の個々のドラフト機構セグメント（２１）を選択するためのドラフト機構セグメントセレクトユニット（３１３）との間に接続関係が設けられ、ドラフト機構セグメントセレクトユニット（３１３）において、監視センサ（５２２ａａ）が信号を送信しないドラフト機構セグメント（２１）が働かされないと、監視ユニット（３１５）における個々の監視センサ（５２２ａａ，５２２ｃａ）の信号の欠如が抑制される、請求項１から５までのいずれか１項記載の紡績機。
【請求項７】
ドラフト機構（２０）の走出シリンダ（２２ａ）と駆動装置（４０）の伝動装置（４２ｂ）との間に歯付きベルト伝動装置（４５）を有している、請求項１から６までのいずれか１項記載の紡績機。
【請求項８】
複数の紡糸個所と、少なくとも１つの駆動装置（４０）が配属された複数のシリンダ（２２）を備えたドラフト機構（２０）とを有し、ドラフトシリンダ（５２２ａ，５２２ｂ，５２２ｃ）に繊維材料が供給される両側紡績機において、互いに鏡像対称的に同様に組立てられた４つのドラフト機構駆動ブロック（５４０ａ，５４０ｂ，５４０ａ′５４０ｂ′）がドラフトシリンダの両端にそれぞれ存在しかつドラフトシリンダの端部の間に別の駆動ブロック（５４０ｃ）が存在する、請求項１から７までのいずれか１項記載の紡績機。
【請求項９】
ドラフトシリンダ（５２２ａ，５２２ｂ，５２２ｃ）の端部におけるドラフト機構駆動ブロック（５４０ａ，５４０ｂ，５４０ａ′５４０ｂ′）がそれぞれ複数のモータ（４２ａ）と中間伝動装置（４５ａ）を有し、ドラフトシリンダの両端の間に配置された別の駆動ブロック（５４０ｃ）を有し、各機械長手側にて、それぞれ唯一の駆動ブロックを有し、ただ１つのモータ（４２ａ）もしくはただ１つのドラフトシリンダに配属されている、請求項１から８までのいずれか１項記載の紡績機。
【請求項１０】
駆動ブロック（５４０ａ）にて、走入シリンダ（５２２ａ）と中間シリンダ（５２２ｂ）を駆動するための第１の上側の電気モータ（４２ａ）が設けられており、この場合、駆動出力が中間伝動装置（４５ａ）を介して別の中間伝動装置（４２ｂ）に伝達される、請求項１から９までのいずれか１項記載の紡績機。
【請求項１１】
前記中間伝動装置（４５ａ）が歯付きベルト伝動装置である、請求項１０記載の紡績機。
【請求項１２】
中間伝動装置（４２ｂ）に２つの別の中間伝動装置（４５ｂ，４５ｃ）が後置されかつこれに結合され、該中間伝動装置に一方では中間シリンダ（５２２ｂ）を駆動する伝動装置（４１ｂ）が連結されかつ他方走出シリンダ（５２２ｃ）を駆動するための別の伝動装置（４２ｂ）が連結されている、請求項１から１１までのいずれか１項記載の紡績機。
【請求項１３】
走出シリンダ（５２２ｃ）がモータ（４２ａ）と中間伝動装置（４５ｄ）と減速伝動装置（４２ｂ″）とを備えた固有の駆動装置を有している、請求項１から１２までのいずれか１項記載の紡績機。
【請求項１４】
それぞれ端部伝動装置（４２ｂ″）と配属されたドラフトシリンダ（５２２ｃ）との間に１つの歯付きベルト伝動装置が設けられている、請求項１から１３までのいずれか１項記載の紡績機。
【請求項１５】
モータ（４２ａ）が直接的に伝動装置（４２ｂ″）に連結されている、請求項１から１４までのいずれか１項記載の紡績機。
【請求項１６】
第１の駆動ブロック（５４０ａ）におけるエレメントの配置に対し鏡像的に別の駆動ブロック（５４０ｂ）の内部が構造化されている、請求項１から１５までのいずれか１項記載の紡績機。
【請求項１７】
付加的な駆動ブロッック（５４０ｃ）がドラフトシリンダ（５２２ａ，５２２ｂ）の端部の間に配置されている、請求項１から１６までのいずれか１項記載の紡績機。
【請求項１８】
伝動装置が歯付きべルト−又は円筒歯車−又は傘歯車−又はウオーム−又は遊星歯車−（４２ｂ）又はハーモニック−又はサイクロ−又はシンクロ−ドライブ−伝動装置として構成されている、請求項１から１７までのいずれか１項記載の紡績機。
【請求項１９】
円筒歯車−又は傘歯車−又はウオーム−又は遊星歯車−（４２ｂ）又はハーモニック−又はサイクロ−又はシンクロ−ドライブ−伝動装置が出力側で歯付きベルト伝動装置を介して又は複数の歯車（４２ｂ′，４６′，４６ｂ，４７）を介してドラフト機構のシリンダ（２２ａ）の歯車（２２ａ′）と噛合っている、請求項１から１８までのいずれか１項記載の紡績機。
【請求項２０】
駆動装置ブロック（５４０ｃ）のモータ（４２ａ）が中間伝動装置（４５）を介して伝動装置（４２ｂ）の入力軸として働く第１の軸（４１ａ）と結合されており、この伝動装置の回転運動が別の軸（４１ｂ）を介して中間伝動装置（４２ｂ′）にかつ別の軸（４１ｃ）を介して出力伝動装置（４２ｂ″）に伝達可能である、請求項１から１９までのいずれか１項記載の紡績機。
【請求項２１】
前記中間伝動装置（４５）が歯付きベルト伝動装置である、請求項２０記載の紡績機。
【請求項２２】
２つの駆動ブロック（５４０ｃ）の個々のエレメントが紡績機（１）の垂直な中心平面である垂直平面（Ｅ）に対し鏡像対称的に配置されている、請求項１から２１までのいずれか１項記載の紡績機。
【請求項２３】
同一のドラフトシリンダを駆動するために用いられる、１つのドラフトシリンダ（５２２ｂ）に接続された複数の駆動モータが同期的に制御可能であり、同形式の駆動ブロックのモータ（４２ａ）が共通の制御装置にもしくは電流を供給するための同一の周波数変換器に接続されており、一方では１つの駆動ブロック（５４０ａ）における伝動装置（４１ｂ）の出力側とモータ（４２ａ）との間の総伝達比と、他方では別の駆動ブロック（５４０ｃ）の端部伝動装置（４５ｅ）と第２の電気モータ（４２ａ）との間の総伝達比とが同じ大きさである、請求項１から２２までのいずれか１項記載の紡績機。
【請求項２４】
前記駆動モータが一方の駆動ブロック（５４０ａ）におけるモータ（４２ａ）と、別の駆動ブロック（５４０ｃ）の別のモータ（４２ａ）とから成っている、請求項２３記載の紡績機。
【請求項２５】
ドラフトシリンダの端部の間に別の駆動ブロック（５４０ｃ）があり、各機械長手方向側にそれぞれ少なくとも１つの別のブロックがある、請求項１から２４までのいずれか１項記載の紡績機。
【発明の詳細な説明】
【技術分野】
【０００１】
本発明は、独立請求項の上位概念として記載した複数のドラフト機構駆動装置を有する紡績機に関する。
【背景技術】
【０００２】
ドイツ国特許公開明細書ＤＥ１００４０４２０Ａ１号には複数の実施形態のドラフト機構駆動装置を有する前記形式の紡績機が開示されている。
【特許文献１】ＤＥ１００４０４２０Ａ１号明細書
【発明の開示】
【発明が解決しようとする課題】
【０００３】
本発明の課題はドラフト機構駆動装置のフレキシブルな使用を可能にする構想を提案することである。
【課題を解決するための手段】
【０００４】
本発明の課題は独立請求項に記載した特徴を有するドラフト機構駆動装置によって解決された。従属請求項には有利な実施態様が開示されている。
【発明を実施するための最良の形態】
【０００５】
図１は両側紡績機のドラフト機構駆動装置の概略的な俯瞰図である。セクション７０の両側には紡糸部１１があり、該紡糸部１１にはドラフトシリンダ５２２ａ，５２２ｂ，５２２ｃを介して繊維材料が供給される。本実施例では、４つの同形式のドラフト機構駆動ブロック５４０ａ，５４０ｂ，５４０ａ′，５４０ｂ′がそれぞれドラフトシリンダの端部にあるものと仮定されている。ドラフトシリンダの端部の間には別の伝動装置ブロック５４０ｃがある。この伝動装置ブロック５４０ｃの内、各機械長手方向側にはそれぞれ唯一のブロックしか示されていない。駆動ブロック５４０ａには走入シリンダ５２２ａと中間シリンダ５２２ｂとを駆動するための第１の上側の電気モータ４２ａが設けられている。駆動出力は中間伝動装置４５ａ、特に歯付きベルト伝動装置を介して中間伝動装置４２ｂに伝達される。この中間伝動装置４２ｂからは２つの別の中間伝動装置４５ｂと４５ｃとが分岐している。つまり、第１の中間伝動装置４５ｂには伝動装置４１ｂが連結されている。この伝動装置４１ｂは中間シリンダ５２２ｂを駆動する。別の伝動装置４２ｂは走入シリンダ５２２ａを駆動し、中間伝動装置４５ｃと結合されている。送出シリンダ５２２ｃはモータ４２ａａ、中間伝動装置４５ｄ、変換伝動装置４２ｂ″を備えた固有の駆動装置を有している。それぞれ端部伝動装置４２ｂ″と配属されたドラフトシリンダ５２２ｃとの間には回転数変化の他に振動減衰するために歯付きベルト駆動装置が設けられていることができる。最後に述べたモータ４２ａａは中間伝動装置４５ｄと別の軸４１ｃなしで直接的に伝動装置４２ｂ″に連結されていることもできる。駆動ブロック５４０ａ内のエレメントの配置に対し鏡像対称的に駆動ブロック５４０ｂの内部も構造化され、さらに駆動ブロック５４０ｂ′の内部も構造されていることができる。駆動ブロック５４０ａ′におけるエレメントの配置は紡績機１の長手方向軸線を中心として鏡像的にほぼ駆動ブロック５４０ａにおけるエレメントの配置に相応している。付加的に同じく構成された１つの伝動装置ブロック５４０ｃ又は複数のこのようなブロックが他のブロックの間に配置されていることができる。
【０００６】
それぞれ１つの駆動ブロック５４０ａ，５４０ｂ，５４０ａ′，５４０ｂ′はそれに連結されたドラフトシリンダ５２２ａ，５２２ｂ，５２２ｃと共に、紡績機の１つのセグメント２１もしくは２１′を形成する。図１に示された両側紡績機においてはスピンドルの数が１０００を超える約５０メートルの所定の全長が与えられている限り、４つの駆動ブロックが設けられている。又、駆動ブロック５４０ａ，５４０ｂの間に別の駆動ブロック５４０ｃを配置しかつ紡績機の対向側に別の駆動ブロック５４０ｃ′を配置することも合目的的である。もちろん、シリンダ区分５２２ａ，５２２ｂ，５２２ｃを有する、機械端部にある駆動ブロック５４０ａと５４０ｂしか存在しない場合にはこれらはそれぞれ機械中央部までしか達しない。この個所は機械長手方向軸線に対して垂直な二重の一点鎖で示されている。図１に示されているように別の駆動ブロック５４０ｃ，５４０ｃ′が存在していると、それぞれ駆動ブロック５４０ａ′と５４０ｂ′との間に２重の一点鎖線で示されているようにシリンダストランドの中断が設けられている。紡績機を区分的に、例えば、例えば紡績機の上側にある部分におけるセグメント２１又は２１′において稼働させるためにはもちろん、該当するセグメントだけのドラフト機構を稼働させることが必要である。したがってドラフトシリンダ５２２ａ，５２２ｂ，５２２ｃは全機械長さに亘って一貫して延在していてはならない。図１に示されているような両側紡績機の場合には上側部分に少なくとも２つのセグメント２１，２１′が生じ、別の２つのセグメントが下側部分に生じるので、例えば紡績機のストランドバイストランド紡績はセグメント２１において行ない、次いでセグメント２１′において行なうことしかできないものと考えられる。これは、機械に新しい材料を供給したあとで、全部の粗糸貯蔵部から材料がドラフト機構へ走入するのではなく、例えばまずセグメント２１だけに、次いでセグメント２１′に走入し、これにより不要な材料を消費することなしに個々の紡糸部位１１を稼働させるために作業員は十分な時間を有するようになる。
【０００７】
図１の記述と関連して、ＤＥ１００４０４２０明細書を参照されたい。この明細書には紡績機の構造及びドラフト機構の駆動の可能性並びにドラフト機構の構造についての一般的な説明が成されている。
【０００８】
もちろん、同じドラフトシリンダを駆動するために役立つ複数の駆動モータ、例えば一緒にドラフトシリンダ５２２ｂを駆動する伝動装置ブロック５４０ａにおけるモータ４２ａと伝動装置ブロック５４０ｃのモータ４２ａは同期的に制御されなければならない。これは、ドラフトシリンダ、例えば５２２ｂが複数の区分に分割されている場合にも当嵌まる。例えば前述の伝動装置ブロックのモータ４２ａが共通の制御装置にもしくは電流を供給するための同一の周波数変換器に接続されていると、一方では伝動装置ブロック５４０ａにおけるモータ４２ａと伝動装置４１ｂとの間と、他では伝動装置ブロック５４０ｃの電気モータ４２ａと終端伝動装置４５ｅとの間の総伝達比は同じ大きさでなければならない。
【０００９】
セクション７０の両側に配置された紡糸部位１１を有し、複数のシリンダ２２を備えたドラフト機構２０を有し、ドラフトシリンダ５２２ａ，５２２ｂ，５２２ｃに繊維材料が供給される両側紡績機は、各機械側にて、個有の駆動モータ４２ａを有する少なくとも１つのドラフト駆動ブロック５４０ａ，５４０ｂ，５４０ａ′，５４０ｂ′がそれぞれドラフトシリンダの端部にあるか又はこのような同じドラフト機構駆動ブロックが複数あり、これらのブロックが図１に符号５４０ａ，５４０ｂ，５４０ａ′，５４０ｃで示されているように任意の選択で存在するように構成されていると有利である。
【００１０】
図２には右側の部分に４つの制御アウトプットを有する中央の制御装置が示されている。この制御装置は通常は２４ボルトの直流電圧で駆動される。全紡績機を運転させたい場合には４つのアウトプットが全部直流で負荷される。この結果コンタクタ３４２ａと３４２ａａのシーリーズで示されたコンタクタが一緒に閉じた状態に保たれ、紡績機におけるすべてモータ、例えばモータ４２ａもしくは４２ａａに電流が流される。機械全体をスイッチオンするためには制御装置３０の制御アウトプットの１つで変換器ＵＡ，Ｕ１及びＵ２の右のコンタクタを運転位置にもたらす必要がある。入口側にて５００ボルトの直流で負荷されたインバータＵ１とＵ２は、アウトプット側にて右へ、制御装置３０で設定されて変化する周波数の交流を流す。インバータＵ１は例えば同じ形式のモータ４２ａを制御するために、すなわちドラフトシリンダ５２２ａを駆動するために適している。インバータＵ２は同形式のモータ４２ａａに電流を供給するために、つまり他のドラフトシリンダ５２２ｃを駆動するために用いられる。異なるセグメント２１，２１′において４つの駆動ブロック５４０ａ，５４０ｂ，５４０ｃ，５４０ｄにおける同形式のそれぞれ４つの駆動モータ４２ａが制御される。制御装置３０においては紡績機のための紡績プログラムに従って制御装置の左側にてすべての制御アウトレットが電流で負荷されるか又はコンタクタ３４２ａと３４２ａａを閉じた位置にもたらす個々のアウトレットだけが電流で負荷されるかが重要である。後者の場合には図１にて紡績機の上左側のセグメント２１だけが運転される。さらに制御装置は別のコンタクタを介してスピンドル駆動軸１１ａもしくはスピンドル駆動ベルト１１ｄを駆動するモータＭと接続された別のインバータＵＡを制御するために設けられている。駆動軸１１ａもしくは駆動ベルト１１ｄは図１と関連して述べたように、各個々の紡糸部位１１が固有の駆動モータを有していない限り、複数のスピンドルを駆動するために設けられている。後者の場合にはインバータＵＡは例えば紡糸部位１１のすべての駆動モータに接続可能である。
【００１１】
図３においては制御装置３０の原理的な構造の１例が示されている。以下、制御装置のコンポートネント３１１から３１７について記述する。この場合、前記コンポートネントはハードウェア制御モジュールであることができる。しかし最新の制御装置では、制御モジュールを個別のソフトウェアモジュールに分割するかもしくはソフトウェアが少なくとも部分的にハードウェアモジュールの代わりをするようにソフトウェアを書き込むことが合目的的である。インプットユニット３１１を介して運転データはインプットされる。例えば機械を全体的にスイッチオンするか又はセグメント２１及び／又は２１′だけをスイッチオンするのかがインプットされる。インプットデータは制御データのメモリーに記録される。さらに全般的な紡績プログラムを含むプログラムメモリー３１４が存在している。計算器ユニット３１６においてメモリー３１２もしくは３１４からのインプットデータが処理される。機械の運転モードをインプットもしくは記憶させるため、すなわちまずどのセグメント２１又は２１′をスイッチオンするかを設定するセグメントセレクトユニット３１３が個別に設けられていることができる。制御信号アウトプットユニット３１７は制御電流アウトプットユニット３１８に接続されている。この場合には相応する制御回路への複数のアウトプットが存在しており、セグメント２１は選択的に運転させることができる。ドラフトシリンダ５２２ａ等には監視センサ５２２ａａが配置されている。これによって紡績機全体の運転が監視される。センサの信号は監視ユニット３１５によって処理される。１つのモータを作動させたくないと、これは計算機ユニットにて、紡績プログラムが中断されるように処理される。しかし、所定の運転モードで、所定の作動させないセグメント、例えばセンサ５２２ａａ′を有するセグメント２１により信号が受け取られないと、これは選択された運転モードと一致するので、ユニット３１５と３１３とのアウトプット信号の論理的な結合によって故障の存在は推量されない。いまやアウトプットユニット３１７においては運転しようとするセグメント２１に通じる該当する電流回路のためのアウトプット信号だけがプログラムに従って形成される。制御電流アウトプットユニット３１８ｆｆからは制御電流導線、２４ボルト、がコンタクタ、例えば３４２ａ、３４２ａａに通じている。この場合、所定の運転形式では駆動モジュール５４０ａにおけるセグメント２１のためのドラフト機構モータ４２ａと４２ａａだけに電流が供給される。
【００１２】
本発明の紡績機は以下の構成を特徴としている。
【００１３】
紡績機は複数のシリンダ５２２ａ，５２２ｂ，５２２ｃを備えたドラフト機構２０を有し、前記シリンダ５２２ａ，５２２ｂ，５２２ｃには複数の駆動ブロック５４０ａ，５４０ｂ，５４０ｃが配属されている。この場合、各駆動ブロック５４０ａにはそれぞれ１つのドラフト機構ストランドが配属されている。このドラフト機構ストランドは部分シリンダ５２２ａ，５２２ｂ，５２２ｃから成っている。これらの部分シリンダ５２２ａ，５２２ｂ，５２２ｃは紡績機の全長に亘って延びてはおらず、部分区分に亘ってしか延びていない。駆動ブロックは少なくとも１つの駆動モータ４２ａ又は複数の駆動モータ４２ａ，４２ａａを有している。駆動モータ４２ａ又は駆動モータ４２ａ，４２ａａは単数又は複数の伝動装置４２ｂ，４１ｂ″を介してシリンダ区分５２２ａ，５２２ｃと結合されている。駆動モータ４２ａ，４２ａａ，４２ａ′，４２ａａ′はそれぞれ１つのコンタクタ３４２ａを介して電流供給装置に接続されている。各コンタクタ３４２ａは１つの制御信号導線３１９に接続されており、複数の制御信号導線３１９は制御装置３０の特に１つの制御信号アウトプットユニット３１７に接続されている。制御装置３０と特に制御信号アウトプットユニットは、選択的に紡績機の１つの駆動ブロック５４０ａの唯一のモータ４２ａだけがもしくはモータ４２ａ、４２ａａのグループがスイッチオン可能で、駆動ブロック５４０ａに配属された紡績機の個々のセグメント２１だけがスイッチオン可能であるか、又は紡績機の複数のセグメント２１，２１′に接続された複数の駆動ブロック５４０ａ，５４０ｂがスイッチオン可能であるか又はすべての駆動ブロック５４０ａ，５４０ｂ，５４０ｃ，５４０ａ′，５４０ｂ′，５４０ｃ′が一緒にスイッチオン可能であるように構成されている。
【００１４】
紡績機は制御装置３０の複数の制御アウトプットを特徴としており、制御アウトプットには複数の制御信号導線３１９が配属されている。この場合、個々の制御信号導管３１９は駆動ブロック５４０ａの１つのモータ４２ａの少なくとも１つのコンタクタ３４２ａと接続されているか又は複数のモータ４２ａ，４２ａａの複数のコンタクタ３４２ａ，３４２ａａと接続されている。さらに紡績機は、制御装置３０が少なくとも１つのインプットユニット３１１と特に１つのセグメントセレクトユニット３１３、制御データのメモリー３１２並びに１つの計算機ユニット３１６から成ることを特徴としている。計算機ユニット３１６には、少なくとも１つ制御信号アウトプットユニット３１７が接続されており、この制御信号アウトプットユニット３１７から、制御信号導線３１９が１つの駆動ブロックのモータ４２ａ、４２ａａの複数のコンタクタ３４２ａ，３４２ａａに通じており、紡績機の各駆動ブロック５４０ａ、５４０ｂ、５４０ｃ、５４０ｂ′５４０ｃ′に少なくとも１つの制御信号導線３１９が通じており、駆動ブロック５４０ａ、５４０ｂ、５４０ｃ、ひいては紡績機の個々のセグメント２１、２１′がスイッチオン可能であるか又はセグメント２１、２１′のグループがスイッチオン可能であるか又は紡績機のすべてのセグメント２１、２１′が同時にスイッチオン可能である。
【００１５】
さらに当該紡績機は、紡績機の１つのセグメント内部のドラフト機構２０のシリンダの区分もしくはドラフトシリンダ５２２ａ、５２２ｃが機械の部分長さに亘って延在し、複数のセグメント２１、２１′の部分長さが合わされて紡績機の全長に相応しており、シリンダ区分５２２ａ、５２２ａ′、５２２ｃ、５２２ｃ′が有利には紡績機の長手方向に整合させられて配置されているが、互いに連結されておらず、したがって部分シリンダ５２２ａ、５２２ｃの１つのグループが一緒ではあるが、紡績機の他のセグメント２１とは無関係にスイッチオン・オフ可能であることを特徴とすることもできる。
【００１６】
又、有利には紡績機の長手方向により大きな数で配置された紡糸部位又はスピンドル１１が存在していることができる。この場合、ドラフトシリンダ５２２ａ、５２２ｂ、５２２ｃを介して繊維材料が供給されるスピンドルを駆動するためにはスピンドルと同軸に配置された単個モータが設けられるか又は紡績機の中央に支承された軸１１ａが設けられ、該軸１１ａの上にベルトプーリー１１ｂが位置し、該ベルトプーリー１１ｂがベルト１１ｃでスピンドル１１と結合されているか又は少なくとも紡績機の部分長さに亘って案内された接線方向ベルト１１ｄが設けられ、スピンドル１１が接線方向ベルト１１ｄによって駆動可能であることができる。
【００１７】
さらに先きの特徴を有す紡績機においては、１つのドラフトシリンダ５２２ａもしくは複数のドラフトシリンダ５２２ａ、５２２ｂ、５２２ｃにそれぞれ１つの監視センサ５２２ａａが配属され、この監視センサ５２２ａａが監視ユニット３１５と接続されている。この監視ユニット３１５自体は制御装置３０、特に制御装置の計算機ユニット３１６と結合されている。この場合には、制御装置３０もしくは計算機ユニット３１６は監視ユニット３１５と、紡績機の個々のセグメント２１を選択するためのセグメントセレクトユニット３１３とに対する論的な結合を備え、セグメントセレクトユニット３１３において、監視センサ５２２ａａが信号を発しない紡績機の当該セグメントが作動させられていないと監視ユニット３１５において個々の監視センサ５２２ａａの信号の欠如が差し止められる。
【００１８】
さらに本発明が特徴とする以下の条件が与えられていることもできる。すなわち、
・円筒歯車−又は傘歯車−又はウオーム−又は遊星歯車伝動装置４２ｂ又はハーモニック−又はサイクロ−又はシンクロ−ドライブ−伝動装置を有し、該伝動装置が出力側にて歯付きベルト伝動装置又は複数の歯車４２ｂ′、４６′、４６ｂ、４７を介してドラフト機構の１つのシリンダ２２ａの１つの歯車２２ａ′と噛合っている。
・ドラフト機構２０の走出シリンダ２２ａと駆動装置４０の伝動装置４２ｂとの間に歯付きベルト駆動装置４５を有している。
・それぞれドラフトシリンダの端部に、互いに鏡像的に同形式で構成された４つまでのドラフト機構駆動ブロック５４０ａ、５４０ｂ、５４０ａ′、５４０ｂ′があり、ドラフト機構シリンダの端部の間に別の伝動装置ブロック５４０ｃを、各機械長手方向側にそれぞれ少なくとも１つだけ有している。
・それぞれドラフトシリンダ５２２ａ、５２２ｂ、５２２ｃの端部においてドラフト機構駆動ブロック５４０ａ、５４０ｂ、５４０ａ′、５４０ｂ′がそれぞれ複数のモータ４２ａと部分伝動装置４５ａとを有し、ドラフトシリンダの端部の間に配置された別の伝動装置ブロック５４０ｃ、各機械長手方向側にそれぞれ少なくとも１つ配置されたブロックに、唯一のモータ４２ａもしくは唯一つのドラフトシリンダが配置されている。
・駆動ブロック５４０ａに走入シリンダ５２２ａと中間シリンダ５２２ｂとを駆動するための第１の上側の電気モータ４２ａが設けられ、この場合、駆動出力が中間伝動装置４５ａ、特に歯付きベルト伝動装置を介して中間伝動装置４２ｂに伝達される。
・中間伝動装置４２ｂの後ろに２つの別の中間伝動装置が配置されかつ中間伝動装置４２ｂと結合され、これに一方では中間シリンダ５２２ｂを駆動する伝動装置４１ｂが連結されかつ他方では走出シリンダ５２２ａを駆動するための別の伝動装置４２ｂが連結されている。
・走出シリンダ５２２がモータ４２ａ、中間伝動装置４５ｄ、減速伝動装置４２ｂ″を備えた固有の駆動装置を有している。
・それぞれ端部伝動装置４２ｂ″と配属されたドラフトシリンダ５２２ｃとの間の歯付きベルト駆動装置が設けられている。
・モータ４２ａが直接的に連結されている。
・第１の駆動ブロック５４０ａにおけるエレメントの配置に対し鏡像的に、別の駆動ブロック５４０ｂの内部が構造化されている。
・付加的な伝動装置ブロック５４０ｃがドラフトシリンダ５２２ａ，５２２ｂの端部の間に配置されている。
・伝動装置が歯付きベルト−又は円筒歯車−又は傘歯車−又はウオーム−又は遊星歯車伝動装置又はハーモニック−又はサイクロ−又はシンクロ−ドライブ−伝動装置として構成されている。
・伝動装置ブロック５４０ｃのモータ４２ａが中間伝動装置、特に歯付きベルト伝動装置４５を介して第１の軸４１ａと結合されており、この軸４１ａが伝動装置４２ｂの入力軸として用いられており、この伝動装置の回転運動が軸４１ｂを用いて中間伝動装置に又は部分伝動装置４２ｂ′にかつ別の軸４１ｃを介して走出伝動装置４２ｂ″に伝達可能である。
・伝動装置ブロック５４０ｃの個々のエレメントが紡績機１の垂直な中央平面である垂直平面Ｅに対し鏡像対称的に配置されている。
・同一のドラフトシリンダを駆動するために役立つ複数の駆動モータ、特に１つのドラフトシリンダ５２２ｂに一緒に接続された、１つの伝動装置ブロック５４０ａにおけるモータ４２ａと別の伝動装置ブロック５４０ｃの別のモータ４２ａとが同期的に制御可能であり、同形式の伝動装置ブロックのモータ４２ａが共通の制御装置にもしくは電流を供給する同一の周波数変換器に接続されており、１つの伝動装置ブロック５４０ａにおけるモータ４２ａと伝動装置４１ｂの出力側との間の総伝達比と別の伝動装置ブロック５４０ｃにおける第２の電気モータ４２ａと端部伝動装置４５ｅとの間の総伝達比とが同じ大きさである。
・ドラフトシリンダの端部の間に別の伝動装置ブロック５４０ｃが、各機械長手方向側にそれぞれ少なくとも１つ存在している。
・部分シリンダ５２２ａ，ｂ、ｃから成るドラフト機構ストランドが紡績機の全長に亘ってではなく、部分区分だけに亘って延在し、少なくとも１つの駆動ブロック５４０ａと結合されている。
【図面の簡単な説明】
【００１９】
【図１】紡績機のセグメントの数に相応する数で存在する複数のドラフト機構駆動ブロックを有する紡績機の概略的な平面図。
【図２】駆動ブロックの駆動モータのための配線概略図。
【図３】紡績機において協働する制御モジュールと駆動コンポーネントとの概略図。
【符号の説明】
【００２０】
１  紡績機
１１  紡糸部位、スピンドル
１１ａ  軸
１１ｂ  プーリー
１１ｃ  ベルト
１１ｄ  接線方向ベルト
２０  ドラフト機構
２１  セグメント
２１′  セグメント
２２  シリンダ
２２ａ  シリンダ
２２ａ′  歯車
３０  制御装置
４０  駆動装置
４１ａ  軸
４１ｂ  軸
４１ｃ  軸
４２ａ  モータ
４２ａ′  モータ
４２ａａ  モータ
４２ａａ′  モータ
４２ｂ  中間伝動装置
４２ｂ′  歯車
４２ｂ″  減速伝動装置
４５  歯付きベルト駆動装置
４５ａ  中間伝動装置
４５ｂ  中間伝動装置
４５ｃ  中間伝動装置
４５ｄ  中間伝動装置
４５ｅ  端部伝動装置
４６′  歯付きプーリー
７０  セクション
３１１  インプットユニット
３１２  メモリー
３１３  セグメントセレクトユニット
３１４  メモリー
３１５  監視ユニット
３１６  計算ユニット
３１７  制御信号アウトプットユニット
３１８  制御電流走出導線
３１９  制御信号導線
３４２ａ  コンタクタ
３４２ａａ  コンタクタ
５２２ａ  ドラフトシリンダ
５２２ａａ  ドラフトシリンダ
５２２ｂ  ドラフトシリンダ
５２２ｃ  ドラフトシリンダ
５４０ａ  駆動ブロック
５４０ａ′  駆動ブロック
５４０ｂ  駆動ブロック
５４０ｂ′  駆動ブロック
５４０ｃ  伝動ブロック
５４０ｃ′  駆動ブロック
【図１】
0004695923.tif 000002
【図２】
0004695923.tif 000003
【図３】
0004695923.tif 000004